(57)【特許請求の範囲】
【請求項１】
床部の側縁部に立設された耐力壁からなる壁部に第１の開口を有する第１の建物ユニットと、同じく床部の側縁部に立設された耐力壁からなる壁部に前記第１の開口と略同寸同形の第２の開口を有し、かつ、該第２の開口が前記第１の開口に重合する状態で、前記第１の建物ユニットに隣接して配置されるための第２の建物ユニットとを予め工場にて製造した後、ユニット建物の建築現場にて、前記第１及び第２の開口を重ねた状態で、前記第１及び第２の建物ユニットを相互に連結し、この後、前記第１及び第２の開口からなるユニット間開口部に引き戸建具を取り付け、前記引き戸建具の戸袋を前記第１の開口を形成した壁部と前記第２の開口を形成した壁部との隙間に設ける施工方法において、
予め工場にて、前記第１（又は第２）の建物ユニットの前記第１（又は第２）の開口に前記引き戸建具の建具枠構成部材の少なくとも一部と戸袋を構成する上レール、下レール及び戸袋側戸当りを取り付けておき、
ユニット建物の建築現場にて、前記第１（又は第２）の建物ユニットの前記第１（又は第２）の開口に前記引き戸建具の建具枠構成部材の残りがある場合には取り付けると共に、前記第２（又は第１）の建物ユニットの前記第２（又は第１）の開口に前記引き戸建具の建具枠構成部材を継ぎ足す継ぎ部材を取り付けることを特徴とするユニット建物における引き戸建具施工方法。
【請求項２】
前記第１の開口に取り付ける引き戸建具の建具枠構成部材と、第２の開口に取り付ける継ぎ部材は、
互いに対向する側に対応する切欠段部を設けて建築現場で建具枠構成部材と継ぎ部材を係合密着させて、建具枠構成部材側で一方の溝壁を形成し、継ぎ部材側で他方の溝壁を形成して前記引き戸建具の上下に凹溝からなるレールを構成することを特徴とする請求項１記載のユニット建物における引き戸建具施工方法。
【請求項３】
前記引き戸建具の建具枠構成部材には、
戸当りと上レールと下レールと戸袋側戸当りが設けられ、前記戸当りと上レールと下レールと戸袋側戸当りは、壁部の壁面から突出して設けることを特徴とする請求項１記載のユニット建物における引き戸建具施工方法。
【請求項４】
工場において、第１の建物ユニットの開口に引き戸建具の建具枠構成部材を仮固定し、
この後、建築現場にて第２の建物ユニットの開口に継ぎ部材を取り付けて本固定することを特徴とする請求項１記載のユニット建物における引き戸建具施工方法。
【発明の詳細な説明】
【０００１】
【発明の属する技術分野】
この発明は、ユニット建物における引き戸建具施工方法、特に２つの建物ユニットを相互に連結し、この後、２つの建物ユニットの開口からなるユニット間開口部に引き戸建具を取り付ける施工方法に関する。
【０００２】
【従来の技術】
この出願人は、ユニット建物を構成する建物ユニットと隣の建物ユニットとの間の隙間を有効に利用するものとして、図９（ａ），（ｂ）に示すように、建物ユニット１、２を横に並べて互いに隣接する建物ユニット１，２の耐力壁（壁パネル）３Ｆ，３Ｇに両壁を貫通するそれぞれ開口４，４を形成し、この開口４，４が形成された耐力壁（壁パネル）３Ｆ，３Ｇ同士の隙間５に引き戸１０と、引き戸１０が収納される戸袋８を設けたユニット建物を先に提案した（特開平８−３０３１４６号公報参照）。図９（ａ）は、引き戸を閉めた状態、（ｂ）は開放した状態である。
【０００３】
【発明が解決しようとする課題】
しかしながら、従来、前記ユニット建物の施工方法には、適切な方法がなく、このために、建築現場での負担が大きく、現場工数が多くかかり、また、工期が長くなるという不都合があった。
【０００４】
この発明は、上記問題点に鑑みてなされたものであって、建築現場での負担を軽減し、しかも、現場工数を少なくし、工期の短縮化が図れるユニット建物の施工方法を提供することを目的とする。
【０００５】
【課題を解決するための手段】
上記課題を解決するために、請求項１記載の発明は、床部の側縁部に立設された耐力壁からなる壁部に第１の開口を有する第１の建物ユニットと、同じく床部の側縁部に立設された耐力壁からなる壁部に前記第１の開口と略同寸同形の第２の開口を有し、かつ、該第２の開口が前記第１の開口に重合する状態で、前記第１の建物ユニットに隣接して配置されるための第２の建物ユニットとを予め工場にて製造した後、ユニット建物の建築現場にて、前記第１及び第２の開口を重ねた状態で、前記第１及び第２の建物ユニットを相互に連結し、この後、前記第１及び第２の開口からなるユニット間開口部に引き戸建具を取り付け、前記引き戸建具の戸袋を前記第１の開口を形成した壁部と前記第２の開口を形成した壁部との隙間に設ける施工方法において、予め工場にて、前記第１（又は第２）の建物ユニットの前記第１（又は第２）の開口に前記引き戸建具の建具枠構成部材の少なくとも一部と戸袋を構成する上レール、下レール及び戸袋側戸当りを取り付けておき、ユニット建物の建築現場にて、前記第１（又は第２）の建物ユニットの前記第１（又は第２）の開口に前記引き戸建具の建具枠構成部材の残りがある場合には取り付けると共に、前記第２（又は第１）の建物ユニットの前記第２（又は第１）の開口に前記引き戸建具の建具枠構成部材を継ぎ足す継ぎ部材を取り付けることを特徴としている。
【０００６】
また、請求項２記載の発明は、請求項１記載のユニット建物における引き戸建具施工方法に係り、前記第１の開口に取り付ける引き戸建具の建具枠構成部材と、第２の開口に取り付ける継ぎ部材は、互いに対向する側に対応する切欠段部を設けて建築現場で建具枠構成部材と継ぎ部材を係合密着させて、建具枠構成部材側で一方の溝壁を形成し、継ぎ部材側で他方の溝壁を形成して前記引き戸建具の上下に凹溝からなるレールを構成することを特徴としている。
【０００７】
また、請求項３記載の発明は、請求項１記載のユニット建物における引き戸建具施工方法に係り、前記引き戸建具の建具枠構成部材には、戸当りと上レールと下レールと戸袋側戸当りが設けられ、前記戸当りと上レールと下レールと戸袋側戸当りは、壁部の壁面から突出して設けることを特徴としている。
【０００８】
また、請求項４記載の発明は、請求項１記載のユニット建物における引き戸建具施工方法に係り、工場において、第１の建物ユニットの開口に引き戸建具の建具枠構成部材を仮固定し、この後、建築現場で第２の建物ユニットの開口に継ぎ部材を取り付けて本固定することを特徴としている。
【０００９】
【作用】
請求項１記載の発明によれば、予め工場にて、第１（又は第２）の建物ユニットの第１（又は第２）の開口に引き戸建具の建具枠構成部材の少なくとも一部を取り付けておき、ユニット建物の建築現場にて、前記第１（又は第２）の建物ユニットの第１（又は第２）の開口に引き戸建具の建具枠構成部材の残りがある場合には取り付けると共に、第２（又は第１）の建物ユニットの第２（又は第１）の開口に前記引き戸建具の建具枠構成部材を継ぎ足す継ぎ部材を取り付けるため、建築現場での取り付け作業が少なくなり、それだけ現場工数が少なくなり、また、工期が短くなる。つまり、設備の整った工場においてある程度建具枠構成部材を取り付けておいて、この後建築現場において残りの継ぎ部材を取り付けるので、建築現場での負担が軽減される。
【００１０】
請求項２記載の発明によれば、引き戸建具の上下に凹溝からなるレールを設けるため、引き戸が引き戸建具の上下に設けられたレールを案内にして円滑に開閉可能となる。
【００１１】
請求項３記載の発明によれば、引き戸建具の建具枠構成部材に、戸当りと上レールと下レールと戸袋側戸当りとを設けて、この戸当りと上レールと下レールと戸袋側戸当りとを、建物ユニットの壁部の壁面から突出して設けるため、第１と第２の建物ユニット間の隙間に引き戸建具を設けることができる。即ち、隣接する建物ユニット間の隙間に引き戸とこの引き戸の戸袋を設けることができ、２つの建物ユニット間のスペースを有効に利用できる。
【００１２】
請求項４記載の発明によれば、工場において、第１の建物ユニットの開口に引き戸建具の建具枠構成部材を仮固定し、この後、建築現場で第２の建物ユニットの開口に継ぎ部材を取り付けて本固定するため、例えば、工場でビス等で仮固定し、建設現場で釘等で本固定することにより、建築現場での引き戸建具の建具枠構成部材と継ぎ部材の取付位置等の調整が可能となる。したがって、互いに隣接するユニット建物の壁部の隙間に備えた引き戸建具が均一で、しかも画一的なものとなる。
【００１３】
【発明の実施の形態】
以下、図面を参照して、この発明の実施の形態について説明する。説明は、実施例を用いて具体的に行う。
図１は、この発明の一実施例であるユニット建物における引き戸建具の構造を分解して示す分解斜視図、図２〜８は、同ユニット建物における引き戸建具の施工方法（図２〜４は工場施工、図５〜８は現場施工）を示したもので、図２は工場施工時の同引き戸建具の要部縦断面図（図１のＸ−Ｘ視に該当する断面図）、図３は図２のＡ−Ａ視拡大断面図、図４は図３のＢ−Ｂ視拡大断面図、図５は現場施工時の同引き戸建具の要部縦断面図（図１のＸ−Ｘ視に該当する断面図）、図６は図５のＡ−Ａ視拡大断面図、図７は図５のＢ−Ｂ視拡大断面図、図８（ａ），（ｂ）は図６のＡ部，Ｂ部の拡大断面図である。
この例に係るユニット建物は、一棟の建物を、床パネル及び壁パネル等からなる複数の建物ユニットに分割し、各建物ユニットを工場で生産した後、これらの建物ユニットを建築現場に輸送し予め準備した基礎の上に相互に連結する状態で据え付ける方式の建物に係り、このユニット建物の任意の室間（この例では和室Ｗと廊下Ｒとの間）には、図１に示すように、引き戸建具６が設けられていて、和室Ｗと廊下Ｒとの間で相互の出入りが可能となっている。
【００１４】
上記和室Ｗの一部は、同図に示すように、床パネル１００の三つの側縁部に沿って壁パネル３Ａ，３Ｂ，３Ｃを立設してなるコの字型の建物ユニット（以下、和室ユニットいう）１から構成され、上記廊下Ｒの一部は、床パネル２００の互いに直交する二つの側縁部に沿って壁パネル３Ｄ，３Ｅを立設してなるＬ字型の建物ユニット（以下、廊下ユニットいう）２から構成されている。上記床パネル１００，２００は、根太１７が方形に組まれて床枠組が構成され、さらに、床枠組の上面にパーティクルボード等の床面材１８ａが取り付けられることで、床構面とされている。なお、和室Ｗ側の床パネル１００の床面材１８ａの上には、さらに畳１８ｂが敷かれ、廊下Ｒ側の床面材１８ａの上には、床仕上材１９が敷かれている。また、上記壁パネル３Ａ〜３Ｅは、上枠３０１と縦枠３０２と図示せぬ下枠とが組まれて壁枠組とされ、さらに、この壁枠組の内外両面に石膏ボードや硬質木片セメント板等の壁面材３０３，３０３を取り付けることで、耐力壁とされ、必要に応じて開口４，４が設けられている。
この例では、和室ユニット１側の壁パネル３Ｃと、廊下ユニット２側の壁パネル３Ｄとに、互いに略同寸同形の出入口用の開口４，４が設けられている。
和室ユニット１と廊下ユニット２とは、開口４，４を重合する状態で、隣接配置されて相互に連結されている。上記開口４，４は、引き戸建具６が取り付けられていて、引き戸１０を移動させることで開閉自在な構造となっている。
【００１５】
引き戸建具６は、壁パネル３Ｃの開口４に取り付けた鴨居７ａと敷居７ｂと戸当り側縦枠７ｃと戸引き込側縦枠７ｄ、及びこの開口４に連通する壁パネル３Ｃの戸袋スペース５ａに組み込まれた戸当り側縦枠７ｃの一部からなる戸当り８ｄと上レール８ａと下レール８ｂと戸袋側戸当り８ｃとからなる建具枠構成部材と、壁パネル３Ｄの開口４に取り付けた鴨居継ぎ９ａと敷居継ぎ９ｂと戸当り側縦枠継ぎ９ｃと戸引き込側縦枠継ぎ９ｄからなる前記建具枠構成部材に継ぎ足す継ぎ部材から構成されている。
そして、前記開口４を有する壁パネル３Ｃ，３Ｄ同士間の隙間５に、建具枠構成部材とそれに継ぎ足す継ぎ部材からなる引き戸建具６内に、例えば、襖からなる開閉する引き戸１０が嵌め込まれたユニット建物になっている。
なお、前記開口４，４の外周縁には、開口上枠１１ａ，開口下枠１１ｂ，開口縦枠１１ｃ，１１ｃが設けらて開口周縁が補強されている。また、隣接する壁パネル３Ｃと壁パネル３Ｄ間の戸当り側の開口周縁に補強縦枠１１ｄが壁パネル３Ｃ側に釘ｔ１で釘打ちされて設けられ、開口周縁縦側の強度をさらに補強している。
【００１６】
このユニット建物の施工は、まず工場内で、開口４外周縁を開口上枠１１ａ，開口下枠１１ｂ，開口縦枠１１ｃ，１１ｃおよび補強縦枠１１ｄで補強された和室ユニット１側の開口４周縁に、鴨居７ａと敷居７ｂと断面Ｌ字状の戸当り側縦枠７ｃと戸引き込側縦枠７ｄを取り付ける。
鴨居７ａは、幅方向一側端部（他方の廊下ユニット２側）に鴨居継ぎ９ａと係合して凹溝からなる上レール８ａを構成するＬ字状に切欠された切欠段部１２ａが形成され、この切欠段部１２ａは、この後の本固定において釘ｔ２よる釘打ちによってこの上部に設けられたレール受け（釘ｔ３で壁パネル３Ｃ側に固定された受け木桟）１４に支持固定される。また、敷居７ｂは、幅方向一側端部（他方の廊下ユニット２側）に敷居継ぎ９ｂと係合して凹溝からなる下レール８ｂを構成するＬ字状に切欠された切欠段部１３ａと、それよりも低い位置に敷居継ぎ９ｂと係合を良好にするＬ字状に切欠された係合用切欠段部１３ｂが形成され、この切欠段部１３ａ，１３ｂを形成された部分は、この後の本固定において木ねじｍ１によるねじ止めによってこの下部に設けられたＬ字金具（木ねじｍ１で壁パネル３Ｃ側に固定されたジョイントプレート）１５で支持固定される。
即ち、後述するように、鴨居７ａと鴨居継ぎ９ａに互いに対向する側に対応する切欠段部１２ａと１６ａを設け、また、敷居７ｂと敷居継ぎ９ｂに切欠段部１３ｂと１６ｂを設けて建築現場で建具枠構成部材と継ぎ部材を係合密着させて建具枠構成部材側で一方の溝壁を形成し、継ぎ部材側で他方の溝壁を形成して引き戸建具６の上下に凹溝がらなるレールを形成している。
なお、この例では、敷居７ｂ、敷居継ぎ９ｂ、和室ユニット１の畳１８ｂ及び廊下ユニット２の床仕上材１９は、高齢者に配慮して、それぞれの上面が互いに面一に設定されていている。
【００１７】
また、前記開口４に連通する壁パネル３Ｃ側の戸袋スペース５ａに、図４に示すように、凹溝からなる上レール８ａと凹溝からなる下レール８ｂと戸袋側戸当り８ｃを組み込んで戸袋８を構成している。上レール８ａは、同様に、この後の本固定において釘ｔ２よる釘打ちによってこの上部に設けられたレール受け（受け木桟）１４に支持固定され、下レール８ｂは、木ねじｍ１によるねじ止めによってこの下部に設けられたＬ字金具（ジョイントプレート）１５で支持固定され、また、戸袋側戸当り８ｃは、釘ｔ５で壁パネル３Ｃ側に支持固定される。
そして、前記建具枠構成部材に設けられた上レール８ａと下レール８ｂと戸当り側縦枠７ｃの戸当り８ｄと戸袋側戸当り８ｃは、壁パネル３Ｃの外壁面から突出して設けられる。
これらの建具枠構成部材の組み込みは、後の建築現場において取付位置の調整を可能な状態にするために、ビス等による仮固定によって取り付ける。なお、和室ユニット１の室内側には、装飾用として長押７ｅが取り付けられる。
【００１８】
この後、上記一方の和室ユニット１と他方の廊下ユニット２とを建築現場に移送し、建築現場において、和室ユニット１の妻側（短い側）の壁パネル３Ｃと廊下ユニット２の桁側（長い側）の壁パネル３Ｄを互いに隣接させて和室ユニット１と廊下ユニット２を横方向に並べる。次に、建築現場において、図５及び図６に示すように、他方の廊下ユニット２の壁パネル３Ｄの開口４に取り付ける鴨居継ぎ９ａと敷居継ぎ９ｂと戸当り側縦枠継ぎ９ｃと戸引き込側縦枠継ぎ９ｄからなる継ぎ部材を矢印方向に移動させて、前記和室ユニット１側の開口４周縁に組み込んだ鴨居７ａと敷居７ｂと戸当り側縦枠７ｃと戸引き込側縦枠７ｄからなる建具枠構成部材に係合させて取り付ける。この後に、和室ユニット１側の開口４周縁に組み込んだ鴨居７ａと敷居７ｂと戸当り側縦枠７ｃと戸引き込側縦枠７ｄからなる建具枠構成部材及び建物ユニット２側の開口４周縁に組み込んだ鴨居継ぎ９ａと敷居継ぎ９ｂと戸当り側縦枠継ぎ９ｃと戸引き込側縦枠継ぎ９ｄからなる継ぎ部材を正確に位置決め調整し、釘打ち付け又は木ねじ等によって本固定する。
【００１９】
前記和室ユニット１側の開口４周縁に組み込んだ建具枠構成部材と廊下ユニット２側の開口４周縁に組み込んだ継ぎ部材との係合は、和室ユニット１側の開口４周縁に組み込んだ建具枠構成部材（鴨居７ａと敷居７ｂと戸当り側縦枠７ｃと戸引き込側縦枠７ｄ）を釘や木ねじ等で確実に固定した後に、鴨居７ａの上レール８ａを兼ねる切欠段部１２ａ，敷居７ｂの切欠段部１３ａ，戸当り側縦枠７ｃと戸引き込側縦枠７ｄの図示せぬい切欠段部のこれらの係合用外側枠部に、廊下ユニット２側の開口４周縁に組み込んだ継ぎ部材（鴨居継ぎ９ａと敷居継ぎ９ｂと戸当り側縦枠継ぎ９ｃと戸引き込側縦枠継ぎ９ｄ）の鴨居継ぎ９ａの切欠段部１６ａ，敷居継ぎ９ｂの切欠段部１６ｂ，戸当り側縦枠継ぎ９ｃと戸引き込側縦枠継ぎ９ｄの図示せぬ切欠段部のこれらの係合用内側枠部を係合させ、係合部分を斜め釘ｔ４等で固定する（図８（ａ），（ｂ）参照）。
これによって、和室ユニット１側の開口４周縁に組み込んだ建具枠構成部材（鴨居７ａと敷居７ｂと戸当り側縦枠７ｃと戸引き込側縦枠７ｄ）と廊下ユニット２側の開口４周縁に組み込んだ継ぎ部材（鴨居継ぎ９ａと敷居継ぎ９ｂと戸当り側縦枠継ぎ９ｃと戸引き込側縦枠継ぎ９ｄ）が良好に係合し、密着する。
【００２０】
このようにして、和室ユニット１側の建具枠構成部材（鴨居７ａと敷居７ｂと戸当り側縦枠７ｃと戸引き込側縦枠７ｄ）と、廊下ユニット２側の継ぎ部材（鴨居継ぎ９ａと敷居継ぎ９ｂと戸当り側縦枠継ぎ９ｃと戸引き込側縦枠継ぎ９ｄ）が正確に係合される。これら建具枠構成部材と継ぎ部材により、引き戸建具６が構成される。この後、引き戸建具６内に引き戸１０が嵌め込まれる（図７，図８参照）。
このように、工場において一方の和室ユニット１の開口４を有する壁パネル３Ｃに引き戸建具６の建具枠構成部材を取り付け、この後、建築現場において他方の廊下ユニット２の開口４を有する壁パネル３Ｄに前記建具枠構成部材に継ぎ足す引き戸建具の継ぎ部材を取り付けるため、建築現場での取り付け作業が少なくなり、それだけ現場工数が少なくなる。
【００２１】
以上、この発明の実施例を図面により詳述したが、具体的な構成はこの実施例に限られるものではない。したがって、この発明の趣旨を逸脱しない範囲の設計変更等があっても、この発明に含まれることは言うまでもない。
また、工場において一方の和室ユニットの開口に取り付ける引き戸建具の建具枠構成部材は、実施例の如く全て取り付けてしまうのが、施工現場での負担軽減上有利であるが、この一部のみ取り付けるようにしてもよい。
この発明は、和室ユニットからなる一方の建物ユニットと廊下ユニットからなる他方の建物ユニットからなるユニット建物に限らず、和室と和室間、和室と洋室間、居間と洋室間等の一方の和室ユニットと他方の建物ユニットからなるユニット建物に適用できる。この場合に、各室に取り付ける引き戸建具の建具枠構成部材と継ぎ部材の位置は、何方側にしてもよい。
【００２２】
また、上述の実施例では、一枚開きの引き戸の例を示したが、これに限らず、鴨居と敷居に設けるレールを２列にして２枚開きの引き戸を有する構造のものにも適用でき、更には、引き戸の左右両側にそれぞれ戸袋を設けて２以上の複数の引き戸がある多数枚開き引き戸を有するユニット建物にも適用できる。
また、上下レール部分の支持は、両方共にレール受け、又はＬ字金具にしてもよいが、上レール部分の支持をＬ字金具にし、下レール部分をレール受けにすることも可能である。
【００２３】
【発明の効果】
以上説明したように、請求項１記載の発明によれば、予め工場にて、第１（又は第２）の建物ユニットの第１（又は第２）の開口に引き戸建具の建具枠構成部材の少なくとも一部を取り付けておき、ユニット建物の建築現場にて、前記第１（又は第２）の建物ユニットの第１（又は第２）の開口に引き戸建具の建具枠構成部材の残りがある場合には取り付けると共に、第２（又は第１）の建物ユニットの第２（又は第１）の開口に前記引き戸建具の建具枠構成部材を継ぎ足す継ぎ部材を取り付けるため、建築現場での取り付け作業が少なくなり、それだけ現場工数が少なくなり、また、工期が短くなる。つまり、設備の整った工場においてある程度建具枠構成部材を取り付けておいて、この後建築現場において残りの継ぎ部材を取り付けるので、建築現場での負担が軽減される。
【００２４】
請求項２記載の発明によれば、引き戸建具の上下に凹溝からなるレールを設けるため、引き戸が引き戸建具の上下に設けられたレールを案内にして円滑に開閉可能となる。
【００２５】
請求項３記載の発明によれば、引き戸建具の建具枠構成部材に、戸当りと上レールと下レールと戸袋側戸当りとを設けて、この戸当りと上レールと下レールと戸袋側戸当りとを、建物ユニットの壁部の外壁面から突出して設けるため、第１と第２の建物ユニット間のスペースに引き戸建具を設けることができる。即ち、隣接する建物ユニット間のスペースに引き戸とこの引き戸の戸袋を設けることができ、２つの建物ユニット間の隙間を有効に利用できる。
【００２６】
請求項４記載の発明によれば、工場において、第１の建物ユニットの開口に引き戸建具の建具枠構成部材を仮固定し、この後、建築現場で第２の建物ユニットの開口に継ぎ部材を取り付けて本固定するため、例えば、工場でビス等で仮固定し、建設現場で釘等で本固定することにより、建築現場での引き戸建具の建具枠構成部材と継ぎ部材の取付位置等の調整が可能となる。したがって、互いに隣接するユニット建物の壁部の隙間に備えた引き戸建具が均一で、しかも画一的なものとなる。
【図面の簡単な説明】
【図１】この発明の一実施例であるユニット建物における引き戸建具の構造を分解して示す分解斜視図である。
【図２】工場施工時における同引き戸建具の要部縦断面図である。
【図３】図２のＡ−Ａ視拡大断面図である。
【図４】図３のＢ−Ｂ視拡大断面図である。
【図５】現場施工時における同引き戸建具の要部縦断面図である。
【図６】図５のＡ−Ａ視拡大断面図である。
【図７】図５のＢ−Ｂ視拡大断面図である。
【図８】図６のＡ部、Ｂ部の拡大断面図である。
【図９】従来のユニット建物の構成図である。
【符号の説明】
１，２  建物ユニット
３Ｃ，３Ｄ  壁パネル
４  開口
５  隙間
６  引き戸建物
８ａ，８ｂ  レール
８ｃ，８ｄ  戸当り
１２ａ，１３ａ，１３ｂ，１６ａ，１６ｂ  切欠段部
【図１】
0003749597.tif 000002
【図２】
0003749597.tif 000003
【図３】
0003749597.tif 000004
【図４】
0003749597.tif 000005
【図５】
0003749597.tif 000006
【図６】
0003749597.tif 000007
【図７】
0003749597.tif 000008
【図８】
0003749597.tif 000009
【図９】
0003749597.tif 000010